(57)【要約】【課題】  番組の再生時において、再生される番組のジャンル毎にユーザの好みに合わせた画質や音質で再生を行うことができる再生装置を提供する。【解決手段】  再生装置１００は、ユーザからパラメータ情報の設定を受け付けるパラメータ入力部１０１、パラメータ情報を記録するパラメータ記憶部１０２、パラメータ情報を読み出すパラメータ読出し部１０３、番組のジャンル情報に合ったパラメータ情報を出力制御部１０７に出力するジャンル毎パラメータ設定部１０４、ジャンル毎パラメータ設定部において設定されたパラメータ情報に基づいて映像出力部１０９及び音声出力部１１０の出力特性を制御する出力制御部１０７、及びＩＥＥＥ１３９４や有線・無線ネットワークである通信部１１２等を備える。【選択図】  図２
2005302119.tif 000002
【特許請求の範囲】
【請求項１】
記録媒体又は通信を介して取得されたＡＶデータを再生する再生装置であって、
再生する前記ＡＶデータに関する関連情報と、当該関連情報毎に設定され、前記ＡＶデータの再生時の画質及び音質に関するパラメータ情報との対応関係を示す情報を取得する取得手段と、
前記パラメータ情報に基づいて前記ＡＶデータの再生を行う再生手段とを備える
ことを特徴とする再生装置。
【請求項２】
前記関連情報は、前記ＡＶデータのジャンルを特定するジャンル情報、前記ＡＶデータの出演者を特定する出演者情報、又は前記ＡＶデータのタイトルを特定するタイトル情報のいずれかである
ことを特徴とする請求項１記載の再生装置。
【請求項３】
前記再生装置は、さらに、
前記関連情報毎に対応する前記パラメータ情報をユーザが入力するためのパラメータ入力手段を備え、
前記取得手段は、前記パラメータ入力手段により入力される前記パラメータ情報を取得する
ことを特徴とする請求項１記載の再生装置。
【請求項４】
前記再生装置は、さらに、
少なくとも前記関連情報及び前記パラメータ情報の対応関係が記述されるパラメータテーブルを保持するテーブル保持手段を備え、
前記取得手段は、前記パラメータテーブルを参照して前記ジャンル情報及び前記パラメータ情報の前記対応関係を示す情報を取得する
ことを特徴とする請求項１記載の再生装置。
【請求項５】
前記再生装置は、さらに、
前記関連情報と前記パラメータ情報との対応関係を記録媒体又は外部機器に記録する記録手段を備える
ことを特徴とする請求項１記載の再生装置。
【請求項６】
前記パラメータ情報は、前記再生装置の初期設定として設定されている規定値である
ことを特徴とする請求項１から５いずれか１項に記載の再生装置。
【請求項７】
前記再生装置は、さらに、
前記関連情報又は前記パラメータ情報のデフォルト値を設定する設定手段を備え、
前記再生手段は、前記ＡＶデータに前記関連情報又は前記パラメータ情報が関連付けられていないときには、前記デフォルト値に従い再生を行う
ことを特徴とする請求項１記載の再生装置。
【請求項８】
記録媒体又は通信を介して取得するＡＶデータを再生する再生装置に用いる再生方法であって、
再生する前記ＡＶデータに関する関連情報と、当該関連情報毎に設定され、前記ＡＶデータの再生時の画質及び音質に関するパラメータ情報との対応関係を示す情報を取得する取得ステップと、
前記パラメータ情報に基づいて前記ＡＶデータの再生を行う再生ステップとを含む
ことを特徴とする再生方法。
【請求項９】
前記関連情報は、前記ＡＶデータのジャンルを特定するジャンル情報、前記ＡＶデータの出演者を特定する出演者情報、又は前記ＡＶデータのタイトルを特定するタイトル情報のいずれかである
ことを特徴とする請求項８記載の再生方法。
【請求項１０】
記録媒体又は通信を介して取得するＡＶデータを再生する再生装置に用いるプログラムであって、
再生する前記ＡＶデータに関する関連情報と、当該関連情報毎に設定され、前記ＡＶデータの再生時の画質及び音質に関するパラメータ情報との対応関係を示す情報を取得する取得ステップと、
前記パラメータ情報に基づいて前記ＡＶデータの再生を行う再生ステップとをコンピュータに実行させる
ことを特徴とするプログラム。
【請求項１１】
前記関連情報は、前記ＡＶデータのジャンルを特定するジャンル情報、前記ＡＶデータの出演者を特定する出演者情報、又は前記ＡＶデータのタイトルを特定するタイトル情報のいずれかである
ことを特徴とする請求項１０記載のプログラム。
【発明の詳細な説明】
【技術分野】
【０００１】
この発明は、記録媒体や有線・無線の通信を介して取得された番組や音楽を再生する再生装置に関する。
【背景技術】
【０００２】
近年、地上波放送がアナログ方式からデジタル方式に移行され、デジタル方式の多チャンネル化により新たに設けられたチャンネルや、ＥＰＧ（Electric Program Guide）等から取得する番組情報の中にスポーツ、映画等のジャンル情報が付与されて放送されている。例えば、記録メディアであるＢＤ（Blue-ray Disc）においてもジャンル情報を格納するデータエリアが存在する。
【０００３】
そして、従来、再生装置においてＤＶＤ等の記録メディアに記録されているテレビ番組、映画等の再生を行う場合には、ユーザは好みの画質や音質のパラメータを予め再生装置に入力しておくことにより、ユーザは番組の再生時に入力された好みの画質や音質に従って番組を視聴することが可能となる。
【０００４】
また、ステレオ等の音楽の再生時には、ジャズやクラシックといったジャンル情報の設定や、サラウンド／ノンサラウンド等の音質を設定しておくことが一般的に行われている。
【０００５】
ところで、メモリカードに複数曲の音楽データの他に、これらの各音楽データを再生するときの音質を調整するための音質データも各音楽データに対応して記録し、ＣＰＵは、任意の音楽データを再生するとき、これに対応する音質データを取り込んで、音質コントローラに供給する音楽再生装置が開示されている（例えば、特許文献１参照）。この特許文献１に示す音楽再生装置においては、メモリカードを参照することにより、曲毎に予め調整された音質で各音楽データが再生される。従って、聴取しようとする曲のジャンルや旋律が変わるたびに音質を調整する手間が省ける。
【特許文献１】特開２００２−２８７７４号公報
【発明の開示】
【発明が解決しようとする課題】
【０００６】
しかしながら、従来の再生装置においては、番組を視聴するときは常に一度設定された画質や音質での再生や、ＤＶＤ−ＶＩＤＥＯやＤＶＤ−ＲＡＭ等の記録メディアの種類毎にしか画質や音質の設定ができない。この場合、同じ種類の記録メディアで、ニュースやスポーツ等のジャンルの異なる番組を再生すると、その度にユーザは好みの音質や画質を設定変更する手間が要求されている。そして、将来、１枚の記録メディアに多数の番組が記録されることが予測され、この場合には、同じ記録メディア内に様々なジャンルの複数の番組が記録される。
【０００７】
また、上述したように、近年のデジタル放送においてジャンル情報が付加されて送信されており、このジャンル情報を用いて再生時の娯楽性を高めるための新たな使用態様が要求されている。
【０００８】
さらに、上記特許文献１に係る音楽再生装置においては、再生される曲毎に音質を予め設定する必要性が生じ、ユーザに手間を要している。また、音質の設定をメモリカードに記録し、ＣＤ等の再生対象の記録媒体に音質設定の条件を書き込むことはない。
【０００９】
本発明は、前記従来の課題を解決するものであり、映像や音楽のＡＶデータの再生を行う再生装置において、ユーザの手間を要することなく、ＡＶデータの所属するジャンル情報毎に、常にユーザの好みの画質と音質で再生を行う再生装置を提供することを目的とする。
【課題を解決するための手段】
【００１０】
上記課題を解決するために、本発明に係る再生装置は、［請求項１］。より好ましくは［請求項２］。
従って、再生装置においては、ＡＶデータのジャンル情報に対応するパラメータ情報を用いて再生されるために、ユーザはＡＶデータのジャンル毎に、常に好みの画質及び音質で映像や音楽のＡＶデータの視聴を行うことが可能となる。
【００１１】
また、本発明に係る再生装置は、［請求項５］。
このため、再生装置の記録手段においてＡＶデータに関連する関連情報と再生時の画質や音質に関連するパラメータ情報をＤＶＤ等の記録メディアや外部機器に記録することができ、記録メディア毎にジャンル別の再生時のパラメータ設定値を記録しておくこともできる。
【００１２】
尚、前記目的を達成するために、本発明は、前記再生装置の特徴的な構成手段をステップとする再生方法としたり、それらのステップを全て含むプログラムとして実現することもできる。そして、そのプログラムは、再生装置が備えるＲＯＭ等に格納しておくだけでなく、ＣＤ−ＲＯＭ等の記録媒体や通信ネットワークを介して流通させることもできる。
【発明の効果】
【００１３】
以上の説明のように、本発明に係る再生装置は、記録メディア等を用いたＡＶデータの再生時において、ジャンル毎にユーザの好みの画質や音質で再生することができ、再生時におけるユーザの手間を省くと共に、ＡＶデータの再生時における再生装置の娯楽性を高めることができる。
【発明を実施するための最良の形態】
【００１４】
以下、本発明に係る再生装置について図面を参照しながら説明を行う。
（実施の形態１）
図１は、本発明に係る再生装置１００の再生時の外観図である。再生装置１００は、映像を再生するテレビ２０１や音声を再生するスピーカ２０２と接続され、例えばＤＶＤやＢＤ等の記録メディア２０３や有線／無線の通信局２０４からの送信を介して、放送番組等を取得して表示部を備えるテレビ２０１においてＡＶデータの再生処理を行う。尚、本実施の形態１の説明において、再生装置１００で再生されるＡＶデータを放送される番組として説明を行うが、他のＡＶデータである音楽や静止画等でも同様の処理を行うことができる。
【００１５】
図２は、本実施の形態１に係る再生装置１００の機能ブロック図を示す。再生装置１００は、再生対象となる番組のジャンル情報毎に再生時の画質や音質のパラメータ設定値を記録し、再生時において自動的にパラメータ設定値に基づいて再生処理を行うことを特徴としている。
【００１６】
そして、再生装置１００において使用されるジャンル情報には、例えば、番組タイトル、再生時間帯、放送局等の情報に基づいてＥＰＧから取得する情報であり、例えば、メインジャンルとして映画、ドラマ、スポーツ、音楽、バラエティー、情報・ワイドショー、ニュース・報道、アニメ・漫画、ドキュメンタリー・教養、劇場・公演、趣味・教育、福祉等が含まれる。また、メインジャンルに所属するサブジャンルには、例えばメインジャンルがスポーツである場合においては、スポーツニュース、野球、サッカー、ゴルフ、テニス、バスケットボール、ラグビー、アメフト、ボクシング、プロレス、相撲、格闘技、国際大会等が含まれる。また、ＥＰＧから取得できる情報にはジャンル情報以外にタイトル情報や出演者情報が含まれる。
【００１７】
再生装置１００は、ユーザから再生時の画質や音質のパラメータ設定を受け付けて、当該パラメータ情報に従って番組再生を行う装置であり、パラメータ入力部１０１、パラメータ記憶部１０２、パラメータ読出し部１０３、ジャンル毎パラメータ設定部１０４、ＡＶデータ入力部１０５、ジャンル読出し部１０６、出力制御部１０７、映像出力部１０９、音声出力部１１０、ＡＶデータ蓄積メディア１１１、及び通信部１１２を備える。
【００１８】
パラメータ入力部１０１は、リモコン等の入力部を介してユーザから画質、音質、サラウンド等の再生時の画質や音質を示すパラメータ情報の設定を受け付ける。例えば、番組がクラッシックコンサートでジャンルが音楽である場合においては、サラウンド効果を強調し、番組が二重音声のニュースでありジャンルがニュースの場合においては、二重音声を聞き取り易くするために言語効果を強調するように音質のパラメータ情報を設定する。
【００１９】
尚、本実施の形態の説明において、パラメータ情報には、ノーマル、ソフト、ファイン、シネマ等の情報が含まれ、ノーマルとは標準状態の画質、ソフトとはざらつきが少なく柔らかい画質、ファインとは輪郭が強調されくっきりしている画質、シネマとは映画鑑賞向けの画質である。
【００２０】
また、ユーザは、下記各項目を数値設定することにより、さらに好みの画質に調整することができる。例えば、コントラストは白黒の強弱調整であり、ブライトネスは画面全体の明るさ調整であり、シャープネスは鮮やかさ調整であり、カラーは色の濃さ調整であり、ガンマは暗くて見えにくい映像の輪郭調整であり、３次元ノイズリダクションは画面全体のノイズの除去調整であり、ブロックノイズリダクションは動画でのモザイクノイズ除去調整であり、モスキートノイズリダクションは文字周りのもやを補正することである。
尚、数値設定によるパラメータはユーザが複数選択することができる。また、画質のみでなく、音質のパラメータ、例えばサラウンド／ノンサラウンドを変更することもできる。
【００２１】
パラメータ記憶部１０２は、パラメータ入力部１０１を介してユーザ入力されたパラメータ情報を記録するハードディスク等であり、電源ＯＦＦ時やメディア交換時でもパラメータ情報を保持する。
【００２２】
パラメータ読出し部１０３は、パラメータ記憶部１０２に記憶されたパラメータ情報を、ジャンル毎パラメータ設定部１０４からの指示に従って、出力制御部１０７の制御に使用できるように読み出す。
【００２３】
ジャンル毎パラメータ設定部１０４は、再生対象となる番組のジャンル情報に合ったパラメータ情報を出力制御部１０７に出力すると共に、例えばＤ／Ａコンバータ等のＩＣやＬＳＩである映像出力部１０９及び音声出力部１１０に設定する。
【００２４】
ＡＶデータ入力部１０５は、光ディスク等のＡＶデータ蓄積メディア１１１に記録された番組や通信部１１２を介して取得する外部入力からのＡＶデータ・付随情報をＡＶデータ再生部１０８においてデコード再生できるように読み出す。
【００２５】
ジャンル読出し部１０６は、光ディスク等に記録された番組や外部入力から取得した番組のジャンル情報を読み出して、ジャンル毎パラメータ設定部１０４に渡す。
出力制御部１０７は、ジャンル毎パラメータ設定部１０４において設定されたパラメータ情報に基づいて映像出力部１０９及び音声出力部１１０の出力特性を制御する。
【００２６】
ＡＶデータ再生部１０８は、ＭＰＥＧ等のデコードを行い、映像出力部１０９は、テレビ等の表示部を備える機器に映像のアナログ出力を行い、音声出力部１１０は、テレビ等のスピーカに対して音声の出力を行う。
【００２７】
ＡＶデータ蓄積メディア１１１は、ＡＶデータが記録された光ディスク等の記録メディアであり、再生装置１００において再生される番組が記録されている。
通信部１１２は、ＩＥＥＥ１３９４や有線・無線ネットワークの通信部であり、通信局２０４からデジタル放送等により送信される番組を受信するとともに、ジャンル情報を受信することが可能となる。
【００２８】
図３は、本実施の形態１に係る再生装置１００を使用するユーザ側の処理手順を示すフローチャートである。
最初に、ユーザは記録メディア又は有線・無線の通信を介して再生希望する番組を選択する（Ｓ３０１）。
【００２９】
次に、ジャンル毎パラメータ設定部１０４は、選択された番組のジャンルに応じたパラメータ設定がパラメータ記憶部１０２に記憶されているか否か確認し（Ｓ３０２）、当該ジャンル情報に対応するパラメータ設定がなされていない場合には（Ｓ３０２でＮ）、ユーザにジャンルに対応するパラメータ設定を促すようなパラメータ設定画面を表示する（Ｓ３０３）。尚、パラメータ設定されていない場合において、機器のメーカ出荷時に設定されているデフォルト値を用いて再生を行うことも考え得る。
【００３０】
一方、パラメータ設定されている場合においては（Ｓ３０２でＹ）、ユーザがリモコン等を介して再生指示を行うことにより（Ｓ３０４）、ユーザの好みのパラメータ設定に従った画質や音質でＡＶデータの再生が開始され、一連の再生処理を終了する。
【００３１】
図４は、本実施の形態１に係る再生装置１００のパラメータ記憶部１０４にパラメータ情報を記録する動作手順を示すフローチャートである。
最初に、ユーザによりジャンル毎の好みの画質や音質のパラメータ情報がパラメータ入力部１０１を介して入力される（Ｓ４０１）。そして、パラメータ入力部１０１は、入力エラーが発生しているか否かの判定を行い（Ｓ４０２）、入力エラーが発生していない場合においては（Ｓ４０２でＹ）、パラメータ入力部１０１は、選択されたパラメータ設定情報をパラメータ記憶部１０２に記録して一連の処理を終了する（Ｓ４０３）。尚、入力エラーが発生している場合においては（Ｓ４０２でＮ）、再度Ｓ４０１の処理を行うこととなる。
【００３２】
図５は、本実施の形態１に係る再生装置１００における再生動作の手順を示すフローチャートである。
最初に、ジャンル読出し部１０６は、光ディスク等に記録された番組や通信部を介して取得する番組のタイトル・ジャンル情報を読み出す（Ｓ５０１）。
【００３３】
次に、ジャンル毎パラメータ設定部１０４は、選択されたパラメータ情報を映像出力部１０９及び音声出力部１１０に設定する（Ｓ５０２）。
そして、出力制御部１０７は、設定されたパラメータに基づいて映像出力部１０９及び音声出力部１１０の出力特性を制御する（Ｓ５０３）。
【００３４】
また、ＡＶデータ入力部１０５は、光ディスク等に記録されたメディアや外部入力からのＡＶデータをデコード再生できるように読み出す（Ｓ５０４）。
次に、ＡＶデータ再生部１０８は、記録メディアに記録されている番組のＭＰＥＧ等のデコード処理を行う（Ｓ５０５）。
【００３５】
そして、映像出力部１０９及び音声出力部１１０は、映像・音声をアナログ出力して（Ｓ５０６）、再生装置１００の番組再生における一連の処理を終了する。尚、本発明に係る再生装置１００の動作の内、Ｓ５０２及びＳ５０３の処理手順を逆にすることも可能である。
【００３６】
図６は、本発明の再生装置１００のパラメータ記憶部１０２に記憶されているパラメータテーブルに格納されるデータの一例を示す図である。このパラメータテーブルには、番組のジャンル情報とユーザが選択した画質や音質に関する好みのパラメータ情報が記載されている。また、一般的なジャンル情報とパラメータ情報との関連を記載したパラメータテーブルを予め機器に設定された規定値としてパラメータ記憶部１０２に記憶しておくことも可能となる。
【００３７】
図６（ａ）に示すパラメータテーブル６００には、メインジャンル及びサブジャンルが記録されているジャンル情報、当該ジャンル情報に対応する例えば、ノーマル、コントラスト等のパラメータ情報群が記録されている。従って、パラメータ読出し部１０３は、ジャンル読出し部１０６において読み出されたジャンル情報を参照することにより、ユーザの設定した好みのジャンル毎の画質や音質であるパラメータ情報を取得することが可能となる。
【００３８】
また、図６（ｂ）に別のデータが格納されているパラメータテーブル６０１を示す。このパラメータテーブル６０１には、番組のタイトルＮｏ、記録されている番組のタイトル名称、ジャンル情報、パラメータ群が記述されている。従って、タイトル情報を参照することにより好みの再生方法を実現するような場合においては、このパラメータテーブル６０１を参照する。
【００３９】
以上の説明のように、本実施の形態１に係る再生装置１００は、ジャンル情報及びパラメータ情報の関連を記録保持するパラメータ記憶部１０２と、ジャンル情報毎のパラメータ情報に基づいて映像出力部１０９と音声出力部１１０の出力を制御する出力制御部１０７を備える。
【００４０】
このため、再生装置１００のユーザが初期設定でパラメータ入力部１０１を介してジャンル毎の好みの映像・音声設定をしておくか、予め機器に設定された規定値を選択しておくだけで、再生した番組は、記録されているジャンル情報から自動的にユーザの好みに合わせて設定されたパラメータ情報に基づいた映像・音声設定で再生される。
【００４１】
従って、番組の変更やＡＶデータ蓄積メディア１１１の交換の度にユーザは画質や音質の再度の設定を行う必要性がなく、再生装置１００のジャンル毎パラメータ設定部１０４において自動的に変更されて再生されるために、再生時におけるユーザの手間を省くと共に、ユーザは常に快適なジャンル情報毎の画質や音質で番組の視聴を行うことが可能となる。
【００４２】
そして、近年デジタル放送が普及し、番組のジャンル情報が標準的に使用される中において、このジャンル情報を用いて娯楽性を高めた再生装置１００のメディアの新たな再生方法を提供できる。
【００４３】
尚、過去のビデオテープから番組を編集してＢＤ等の記録メディアに記録する等、予めジャンル情報やパラメータ情報が付与されていないような場合においては、ユーザが選択するデフォルト値を用いて番組を再生することができる。
【００４４】
また、同じジャンルの番組で異なるパラメータ情報を設定する際においては、異なる設定とする番組のパラメータ情報を入力部を介して変更することにより実現することが可能となる。
【００４５】
またさらに、本実施の形態１の説明においてはジャンル情報を用いて画質や音質の変更を行うとしたが、本発明はこれに限定されるものではなく、ＥＰＧにより付与される他の情報、例えば出演者情報やタイトル情報毎にパラメータ情報の設定を行うことも可能である。例えば、「Ａさん」が出演している番組においては再生スピードを１．５倍にして、音質を変更する等のパラメータ情報の設定を行うことも考え得る。
【００４６】
（実施の形態２）
次に、本発明に係る再生装置の実施の形態２についての説明を行う。尚、本実施の形態２においては、再生装置２００が記録メディアにジャンル毎に設定されるパラメータ情報を書き込むパラメータ書き込み部を備えることを特徴とする。
【００４７】
図７は、本実施の形態２に係る再生装置２００の機能ブロック図を示す。尚、上述した実施の形態１と同様の構成については同様の符号を付して、その詳細な説明は省略する。
ジャンル・パラメータ読出し部７０１は、光ディスク等の記録メディアに記録されたメディアや外部入力からのジャンル情報及びパラメータ情報を読み出す。
【００４８】
パラメータ書き込み部７０２は、パラメータ記憶部１０２よりジャンル毎のパラメータ情報を読み出して、ＡＶデータ蓄積メディア１１１が書き込み型メディアの場合においては、ジャンル情報とパラメータ情報の関連を書き込む。尚、上述した図６に示すパラメータテーブルを書き込むことも可能となる。
【００４９】
図８は、本実施の形態２に係る再生装置２００においてＡＶデータ蓄積メディア１１１や外部機器にパラメータ情報を記録する場合の動作手順を示すフローチャートである。尚、Ｓ８０１からＳ８０３までの処理手順は、上述したＳ４０１からＳ４０３までの処理手順と同様であり、最初に、ユーザによりジャンル毎の好みの画質や音質のパラメータ情報がパラメータ入力部１０１を介して入力される（Ｓ８０１）。そして、パラメータ入力部１０１は、入力エラーが発生しているか否かの判定を行い（Ｓ８０２）、入力エラーが発生していない場合においては（Ｓ８０２でＹ）、パラメータ入力部１０１は、選択されたパラメータ設定情報をパラメータ記憶部１０２に記録する（Ｓ８０３）。尚、入力エラーが発生している場合においては（Ｓ８０２でＮ）、再度Ｓ４０１の処理を行うこととなる。
【００５０】
そして、本実施の形態２に係る再生装置２００においては、パラメータ書き込み部７０２は、パラメータ記憶部１０２からジャンル情報毎のパラメータ情報を読み込み、パラメータ情報を記録メディアや外部機器に記録して（Ｓ８０４）、一連の処理を終了する。
【００５１】
以上の説明のように、本実施の形態２に係る再生装置２００は、パラメータ情報をパラメータ記憶部１０２から取得して、ＤＶＤやＢＤ等のＡＶデータ蓄積メディア１１１や外部機器に書き込むパラメータ書込み部７０２を備える。従って、パラメータ情報が書き込まれるディスク毎にジャンル情報毎のパラメータ設定値を記録しておくことが可能となる。
【００５２】
尚、過去のビデオテープから番組を編集してＢＤ等の記録メディアに記録する等、予めジャンル情報やパラメータ情報が付与されていないような場合においては、ユーザが選択するジャンル情報を設定して記録メディアに記憶させることができる。
【産業上の利用可能性】
【００５３】
本発明に係る再生装置は、映像や音声等のＡＶデータの再生を行う再生装置として用いることができ、例えば、光ディスクを用いるＤＶＤレコーダ、ＤＶＤプレーヤやＢＤレコーダ等の機器として適用することができ、本発明に係るプログラムはこれら機器にインストールして用いることが可能となる。
【図面の簡単な説明】
【００５４】
【図１】本発明に係る再生装置の再生時の外観図
【図２】実施の形態１に係る再生装置の機能ブロック図
【図３】実施の形態１に係る再生装置を使用するユーザ側の処理手順を示すフローチャート
【図４】実施の形態１に係る再生装置のパラメータ記憶部にパラメータ情報を記録する動作手順を示すフローチャート
【図５】実施の形態１に係る再生装置における再生動作の手順を示すフローチャート
【図６】本発明の再生装置のパラメータ記憶部に記憶されているパラメータテーブルに格納されるデータの一例を示す図
【図７】実施の形態２に係る再生装置の機能ブロック図
【図８】実施の形態２に係る再生装置においてＡＶデータ蓄積メディアや外部機器にパラメータ情報を記録する場合の動作手順を示すフローチャート
【符号の説明】
【００５５】
１００  再生装置
１０１  パラメータ入力部
１０２  パラメータ記憶部
１０３  パラメータ読出し部
１０４  ジャンル毎パラメータ設定値
１０５  ＡＶデータ入力部
１０６  ジャンル読出し部
１０７  出力制御部
１０８  ＡＶデータ再生部
１０９  映像出力部
１１０  音声出力部
１１１  ＡＶデータ蓄積メディア
１１２  通信部
２００  再生装置
７０１  ジャンル・パラメータ読出し部
７０２  パラメータ書き込み部
【図１】
2005302119.tif 000003
【図２】
2005302119.tif 000004
【図３】
2005302119.tif 000005
【図４】
2005302119.tif 000006
【図５】
2005302119.tif 000007
【図６】
2005302119.tif 000008
【図７】
2005302119.tif 000009
【図８】
2005302119.tif 000010